(57)【要約】      （修正有）【課題】漏洩試験に用いられる継手部材において、閉塞部の着脱が容易であり、且つ試験用水や試験空気が外部に漏洩することを防ぐことができる継手部材の提供。【解決手段】排水配管の流路上に取り付けられて、漏洩試験を行う継手部材１は、継手本体２、挿入部材３から構成されている。継手本体２は上流側端部に形成された流入口２１と、下流側端部に形成された流出口２２と、側面に形成された取付口２３を有する。上記側方の開口より挿入される挿入部材３は継手本体２内に取り付けられて排水流路を閉塞する閉塞部４を有している。又、継手本体２と挿入部材３は、それぞれ挿入部材３の挿入方向に対して傾斜している傾斜面２７、傾斜面３６を有し、継手本体２内部に挿入部材３が収納固定される際、挿入部材３と継手本体２が傾斜面２７、傾斜面３６によって接近し、圧接する。【選択図】図１
2019210604.tif 000002
【特許請求の範囲】
【請求項１】
排水配管の流路上に取り付けられて、漏洩試験を行う継手部材であって、
流路側の端部及び流路の側方に開口を有する管体である継手本体と、
上記側方の開口より挿入される、漏洩試験を行う為の挿入部材を備え、
挿入部材は継手本体内に取り付けられて排水流路を閉塞する閉塞部を有し、
継手本体と挿入部材は、それぞれ挿入部材の挿入方向に対して傾斜している傾斜面を有し、
継手本体内部に挿入部材が収納固定される際、継手本体と挿入部材が傾斜面によって接近し、圧接することを特徴とする継手部材。
【請求項２】
前記継手本体はガイド部を有し、
前記挿入部材はガイド部に当接する被ガイド部を有し、
前記ガイド部と被ガイド部によって、
前記継手本体と挿入部材が離間することを防止することを特徴とする請求項１に記載の継手部材。
【請求項３】
前記継手本体は、漏洩試験終了後、前記閉塞部を有する挿入部材に換えて逆流防止弁を有する挿入部材が取り付けられることを特徴とする請求項１又は請求項２に記載の継手部材。
【請求項４】
前記継手本体は内部が目視可能であって、
前記閉塞部と前記逆流防止弁は異なる外観を有し、
内部が目視された際において、
前記継手本体内部に取り付けられている前記閉塞部又は前記逆流防止弁が、外部から識別可能であることを特徴とする請求項３に記載の継手部材。
【請求項５】
前記継手本体は、漏洩試験終了後、前記閉塞部を有する挿入部材に換えて通水部材を有する挿入部材が取り付けられることを特徴とする請求項１又は請求項２に記載の継手部材。
【請求項６】
前記漏洩試験は満空試験であることを特徴とする請求項１乃至請求項５のいずれか１つに記載の継手部材。
【発明の詳細な説明】
【技術分野】
【０００１】
本発明は、排水配管に取り付けられて、漏洩試験を行う継手部材に関するものである。
【背景技術】
【０００２】
従来の技術としては、特許文献１に記載された漏水試験を行う継手部材が知られている。特許文献１に記載の継手部材は、多層階を有する建物に対し、数階層毎に排水配管を閉塞し、試験対象となる排水配管内を満水にすることによって漏水の確認を行う満水試験に用いられる。当該継手部材は、上流側及び下流側の排水配管と接続される継手本体と、継手本体内に配置されて排水流路を閉塞する治具である閉塞部を備えている。閉塞部は継手部材内に配置された際に、上流側の及び下流側の排水流路に押し付けられる閉塞板と、調整機構を備えている。尚、調整機構はナットを回すことによって閉塞板を上下動させる構造となっている。
【０００３】
上記従来の継手部材を用いて漏洩試験を行う際には、継手本体の内部に閉塞部を挿入し、調整機構によって閉塞板を上流側及び下流側の排水流路に押し付けることで、閉塞板によって排水配管を閉塞する。その後、試験対象となる排水配管内を満水にして漏洩試験を行う。
【０００４】
尚、漏洩試験の方法としては上記満水試験の他、特許文献２のように、閉塞された排水配管内の空気圧を測定することによって検査を行う満空試験も知られている。当該満空試験においては、上記満水試験のように試験用水を用意する必要がなく、又、微少な圧力変化を記録することが可能となることから高精度なデータを得ることが可能となる。
【先行技術文献】
【特許文献】
【０００５】
【特許文献１】特開２００８−２８５９２０号公報
【特許文献２】特開平２−２１２７３３号公報
【発明の概要】
【発明が解決しようとする課題】
【０００６】
従来の継手部材は閉塞部を継手本体の内部に配置した後に、ナットを回転させて閉塞板を上下動させることで排水配管を閉塞する構造となっている。しかし、通常、排水配管が配置される空間は狭く、さらにこの狭い空間内に配置された、小さな継手本体内に手を入れてナットを回転させることは非常に困難であった。そして、作業中に閉塞部が位置ズレを起こしてしまった場合、試験用水や試験用空気が外部に漏洩してしまう恐れを有している。
【０００７】
本発明は上記問題に鑑み発明されたものであって、漏洩試験に用いられる継手部材において、閉塞部の着脱が容易であり、且つ試験用水や試験空気が外部に漏洩することを防ぐことができる継手部材の提供を課題とする。
【０００８】
請求項１に記載の本発明は、排水配管の流路上に取り付けられて、漏洩試験を行う継手部材であって、
流路側の端部及び流路の側方に開口を有する管体である継手本体と、
上記側方の開口より挿入される、漏洩試験を行う為の挿入部材を備え、
挿入部材は継手本体内に取り付けられて排水流路を閉塞する閉塞部を有し、
継手本体と挿入部材は、それぞれ挿入部材の挿入方向に対して傾斜している傾斜面を有し、
継手本体内部に挿入部材が収納固定される際、継手本体と挿入部材が傾斜面によって接近し、圧接することを特徴とする継手部材である。
【０００９】
請求項２に記載の本発明は、前記継手本体はガイド部を有し、
前記挿入部材はガイド部に当接する被ガイド部を有し、
前記ガイド部と被ガイド部によって、
前記継手本体と挿入部材が離間することを防止することを特徴とする請求項１に記載の継手部材である。
【００１０】
請求項３に記載の本発明は、前記継手本体は、漏洩試験終了後、前記閉塞部を有する挿入部材に換えて逆流防止弁を有する挿入部材が取り付けられることを特徴とする請求項１又は請求項２に記載の継手部材である。
【００１１】
請求項４に記載の本発明は、前記継手本体は内部が目視可能であって、
前記閉塞部と前記逆流防止弁は異なる外観を有し、
内部が目視された際において、
前記継手本体内部に取り付けられている前記閉塞部又は前記逆流防止弁が、外部から識別可能であることを特徴とする請求項３に記載の継手部材である。
【００１２】
請求項５に記載の本発明は、前記継手本体は、漏洩試験終了後、前記閉塞部を有する挿入部材に換えて通水部材を有する挿入部材が取り付けられることを特徴とする請求項１又は請求項２に記載の継手部材である。
【００１３】
請求項６に記載の本発明は、前記漏洩試験は満空試験であることを特徴とする請求項１乃至請求項５のいずれか１つに記載の継手部材である。
【発明の効果】
【００１４】
請求項１に記載の本発明によれば、漏洩試験に使用する継手部材について、継手部材内に手を入れる必要が無く、挿入部材の着脱が容易となる。
請求項２に記載の本発明によれば、ガイド部と被ガイド部によって当接面の離間が防止されるため、確実に傾斜面同士の当接状態を維持することができる。
請求項３に記載の本発明によれば、試験終了後には逆流防止弁を備えた継手部材として使用することが可能となる。
請求項４に記載の本発明によれば、目視確認によって取り付けられている部材が判別可能であるため、試験終了後には確実に閉塞部を交換することが可能となり、施工ミスを防ぐことができる。
請求項５に記載の本発明によれば、試験終了後には通水部材を備えた継手部材として使用することが可能となる。
請求項６に記載の本発明によれば、継手部材を満空試験用の継手部材として使用することができる。
【図面の簡単な説明】
【００１５】
【図１】本発明の継手部材を示す断面図である。
【図２】本発明の分解断面図である。
【図３】継手本体の正面図である。
【図４】挿入部材を示す断面図である。
【図５】閉塞部を示す（ａ）側面図（ｂ）底面図である。
【図６】逆流防止弁を有する継手本体を示す断面図である。
【図７】継手部材が取り付けられた排水配管を示す参考図である。
【発明を実施するための形態】
【００１６】
以下に、本発明の継手部材を、図面を参照しつつ説明する。尚、以下に記載する説明は実施形態の理解を容易にするものであって、これによって本発明が制限して理解されるものではない。尚、本実施形態における継手部材１は図７に示すように、排水縦管に取り付けられるとともに、多数階を有する建物の各階に配置される。そして、図７においては理解を容易にするために１階から４階に配置された継手部材１にそれぞれ継手部材１ａ、継手部材１ｂ、継手部材１ｃ、継手部材１ｄと番号を付しているが、それぞれの継手部材は全て同一の部材である。
【００１７】
本発明における継手部材１は、図１、図２に示すように、継手本体２、挿入部材３から構成されている。尚、継手部材１は満空試験による漏洩試験を行うための部材である。
【００１８】
継手本体２は内部が目視可能となるように形成された透明の樹脂材から成り、上流側端部に形成された流入口２１と、下流側端部に形成された流出口２２と、側面に形成された取付口２３を有するとともに、流入口２１と流出口２２の間には後述する閉塞部４が配置される収納室２５が形成されている。又、収納室２５には取付口２３から挿入された挿入部材３が配置されている。
流入口２１は継手本体２の上端に形成された開口であって、上流側の排水配管である配管１００が接続されている。又、流出口２２は継手本体２の下端に形成された開口であって、下流側の排水配管である配管２００が接続されている。
取付口２３は継手本体２の側面に形成された開口であって、内周において挿入部材３の溝部３１１内を摺動する突起２４が形成されている。
収納室２５は挿入部材３が配置可能な収納空間を有するとともに、その上端であって流入口２１下端と連続する位置に取り付け溝２６が形成されている。図３に示すように、取り付け溝２６は継手本体２が幅方向外側に向けて凸となるように膨出して形成されており、傾斜面２７、ガイド部２８を有している。傾斜面２７は取り付け溝２６の上面であって、流入口２１下端に形成されているとともに、取付口２３へ向かうに従い流入口２１側へと傾斜している。従って、傾斜面２７は取付口２３の軸方向及び後述する挿入部材３の挿入方向に対して傾斜している。又、傾斜面２７は挿入部材３の傾斜面３６と当接する。ガイド部２８は傾斜面２７と対向する取り付け溝２６の下面であり、挿入部材３が挿入された際、挿入部材３の被ガイド部３７と当接することによって、閉塞部４が傾斜面２７より離間することを防ぐ。尚、傾斜面２７は本実施形態において、挿入部材３の挿入方向と平行に形成されているが、取付口２３へ向かうに従い流出口２２側へと傾斜しても良い。
【００１９】
図４に示すように、挿入部材３は蓋部３１、固定部３４、閉塞部４を有している。
蓋部３１はその外径が上記取付口２３と略同径である円形であって、その外周に突起２４が摺動する溝部３１１が螺刻されている。又、蓋部３１は施工完了時において継手本体２から露出する側の側面に取手３２が形成されているとともに、取手３２と反対の側面において、蓋部３１と固定部３４が相対回転可能となるように接続される円形の嵌合部３３が形成されている。
固定部３４は上記嵌合部３３と嵌合する爪部３５と、収納室２５内に配置される傾斜面３６及び被ガイド部３７を有するとともに、施工完了時において流入口２１下端と連続する位置において閉塞部４を有している。又、固定部３４は爪部３５の外周において、取付口２３の内周と当接する位置に環状のパッキン３８を有するとともに、傾斜面３６には、傾斜面２７と当接する位置にパッキン３９を有している。傾斜面３６は固定部３４の上面に形成され、収納室２５の傾斜面２７と同じ角度で傾斜しており、挿入部材３が継手本体２内に配置された際にパッキン３９を介して傾斜面２７と密接する。被ガイド部３７は固定部３４の下面に形成され、挿入部材３が継手本体２内に配置された際にガイド部２８と当接する。
閉塞部４は固定部３４に接着された栓体であって、継手本体２内に配置された状態であっても外部から目視可能となるように赤色で着色されている。又、閉塞部４は固定部３４に接着される接着部と、下方に向けて突出する突出部が形成されており、当該突出部は図５に示すように側面視略弧状且つ底面視十字状のリブとなっている。尚、当該閉塞部４の突出部分の形状及び色彩は後述する逆流防止弁６と大きく異なっており、継手本体２を目視した際、継手本体２内に配置されているのが閉塞部４であるか逆流防止弁６であるか容易に判別可能となっている。
【００２０】
上記継手部材１の取り付けについて説明する。尚、漏洩試験の際、継手部材１は試験区間の上流側端部及び下流側端部の排水配管に取り付けられるものであり、以下においては上流側端部又は下流側端部のどちらか一方に配置された継手本体２の取り付けについて記載するが、他方に配置された継手本体２も同様の取り付けがなされている。
まず、配管１００と配管２００に継手本体２を接着により取り付ける。この時、配管１００と配管２００は継手本体２を介して排水流路が連通している。
次に、取付口２３より挿入部材３を挿入する。尚、当該挿入の際には図２に示すように、取付口２３に対して略水平であって、取付口２３の軸方向に対して平行となる方向に挿入する。そして、取付口２３の突起２４が蓋部３１の溝部３１１に当接した後、蓋部３１を回動させることによって挿入部材３を収納室２５内に配置する。尚、溝部３１１は螺旋状に形成されているため、蓋部３１の回動に伴い突起２４が溝部３１１内を摺動するとともに、当該摺動によって蓋部３１の回転運動が挿入部材３を収納室２５側へと移動させる水平方向の応力へと変換される。その結果、挿入部材３は更に収納室２５の奥側へと移動する。又、挿入部材３は被ガイド部３７がガイド部２８に当接し、当該ガイド部２８に沿って収納室２５の奥側へと移動するとともに、継手本体２の傾斜面２７と挿入部材３の傾斜面３６がパッキン３９を介して圧接される。この時、継手本体２と挿入部材３は傾斜面２７と傾斜面３６によって接近し、圧接することにより、水平方向の応力が更に上下方向の応力に変換される。これにより、パッキン３９が傾斜面２７に押し付けられて流入口２１が閉塞される。尚、上記変換された上下方向の応力は、挿入部材３の傾斜面３６を下方に押し下げるようにも働くが、継手本体２のガイド部２８によって挿入部材３の被ガイド部３７が支持されているため、傾斜部２７と傾斜部３６が離間してしまうことが防止される。
上記挿入部材３が収納室２５内に配置された状態において、パッキン３９は傾斜面２７に当接し、排水配管が閉塞される。又、固定部３４に取り付けられたパッキン３８によって、内部の空気が取付口２３より外部に漏洩することを防ぐ。これにより、継手部材１は上流側からの空気の流れと、下流側からの空気の流れを完全に閉塞する。
次に、上記閉塞された排水配管内に空気圧をかけ、空気の漏れの有無を検査することで漏洩試験である満空試験が行われる。尚、試験時において閉塞部４に対して上流側又は下流側から圧力が加わるが、閉塞部４は固定部３４に接着されていることから、試験時の空気圧によって外れてしまうことはない。
【００２１】
上記満空試験が終了した後、蓋部３１を上記挿入部材３の配置時とは逆方向に回動させ、挿入部材３を継手本体２より取り外し、排水配管の閉塞を解除する。
【００２２】
又、本実施形態においては、継手部材１は別部材として逆流防止弁６を有する挿入部材５を備えており、図６に示すように、上記漏洩試験が終了した継手部材１には閉塞部４を有する挿入部材３に換えて逆流防止弁６を有する挿入部材５を継手本体２に取り付ける。
【００２３】
挿入部材５は上記挿入部材３と同様に蓋部３１、固定部３４を有しているが、閉塞部４に換えて逆流防止弁６を有している。尚、蓋部３１、固定部３４の構成については挿入部材３と同一であるため、同一の番号を付してその説明を省略する。
逆流防止弁６はシリコン等の弾性を有する材質から成り、内部に排水流路を有する側面視略三角形且つ正面視略円筒状であり、下流側端部に開閉部６１が形成されているとともに、上流側端部に固定部３４と嵌着される取付部６２が形成されている。開閉部６１は円筒の一端を押し潰し、軸状で重ね合わせた形状を成し、内部より圧力が付与されない限りにおいて排水流路を閉塞している。取付部６２は内周及び外周が拡径しており、固定部３４の下面に形成された外向きの鍔部に嵌着されている。
【００２４】
上記逆流防止弁６が取り付けられた状態の継手部材１に対し、上流側から排水が生じた際には、当該排水によって開閉部６１が押し広げられて、開閉部６１による排水流路の閉塞が解除される。従って、上流側から流れた排水は逆流防止弁６を通過して下流側へと排出される。一方、排水が流れていない状態、又は下流側からの圧力が生じた際には、開閉部６１は排水流路の閉塞を維持する。従って、下流側からの排水や空気、及び害虫の逆流を防ぐことが可能となる。
【００２５】
尚、上記漏洩試験後に他階の排水配管について試験を行う場合には、閉塞部４を流用し、他階の継手部材１に取り付けても良い。例えば、図７における継手部材１ｂ、継手部材１ｃを用いて２階、３階間の試験を行った後、下流側の継手部材１ｂより挿入部材３を取り外し、４階に配置された継手部材１ｄに挿入し、３階、４階間の試験を行って良い。この時、挿入部材３が取り外された下流側の継手部材１ｂ内には逆流防止弁６が取り付けられた挿入部材５を配置する。
【００２６】
上記本発明の継手部材１においては、挿入部材３又は挿入部材５を取り付ける際、水平方向に挿入した後に蓋部３１を回転させるだけで取り付けが可能となる。従って、継手部材１が狭い空間内に配置されていても、挿入部材３又は挿入部材５の着脱が容易となる。
又、上述の通り、本発明において、継手本体２は透明であり、且つ閉塞部４と逆流防止弁６はその形状及び色彩が大きく異なっている。従って、外部からの目視によって、継手本体２内部に配置されているのが閉塞部４であるか逆流防止弁６であるかが容易に判別可能となっている。これにより、試験終了時に作業者が閉塞部４を有する挿入部材３を外し忘れることを防ぐことができる。
【００２７】
本発明の継手部材１は以上であるが、本発明の継手部材は上記実施形態の形状に限られるものではなく、発明の要旨を逸脱しない範囲において種々の変更を加えても良いものである。例えば、本発明の継手部材１は漏洩試験としての満空試験に使用されていたが、満水試験に使用しても良い。この時、継手部材１はパッキン３８によって取付口２３が閉塞されていることから、閉塞部４による排水流路の閉塞が不十分であったとしても、試験用水が外部に漏れてしまうことはない。又、蓋部３１によって、挿入部材３を取り外す際においても、継手部材１の上流側に貯留された試験用水が外部に漏れてしまうことを防ぐことができる。
又、上記漏洩試験終了後、閉塞部４を有する挿入部材３に換えて、排水流路が形成された通水部材を有する挿入部材３を取り付けても良く、水封式排水トラップを有する挿入部材３を取り付けても良い。
又、漏洩試験に際し、継手本体２の取付口２３から空気圧をかけるようにしても良い。この場合には、排水配管の上流側に配置される継手本体２と、下流側に配置される継手本体２に加え、空気圧を注入する継手本体２が必要となる。
【００２８】
尚、本実施形態において、閉塞部４は固定部３４とは別体で形成された後に接着により取り付けられているが、嵌着、溶着その他の方法によって取り付けられていても良く、又、固定部３４と一体に形成されていても良い。
【符号の説明】
【００２９】
１          継手部材
２          継手本体
２１        流入口
２２        流出口
２３        取付口
２４        突起
２５        収納室
２６        取り付け溝
２７        傾斜面
２８        ガイド部
３、５      挿入部材
３１        蓋部
３１１      溝部
３２        取手
３３        嵌合部
３４        固定部
３５        爪部
３６        傾斜面
３７        被ガイド部
３８、３９  パッキン
４          閉塞部
６          逆流防止弁
６１        開閉部
６２        取付部
１００      配管
２００      配管
【図１】
2019210604.tif 000003
【図２】
2019210604.tif 000004
【図３】
2019210604.tif 000005
【図４】
2019210604.tif 000006
【図５】
2019210604.tif 000007
【図６】
2019210604.tif 000008
【図７】
2019210604.tif 000009